(57)【要約】【課題】撮影操作を容易にする。【解決手段】初期位置からレリーズ操作位置へと延びる第１の軌道１２と、  この第１の軌道１２と順次交差するように設けられた複数の第２の軌道１３，１４と、第１、第２の軌道１２〜１４に沿って移動する移動部２０と、時系列に行われる複数の撮影操作を時系列順に第２の軌道１３，１４に設定する設定部４０と、移動部２０の複数の第２の軌道上の位置に応じて撮影操作を決定する決定部５０とを含む。【選択図】図２
2008026449.tif 000002
【特許請求の範囲】
【請求項１】
第１点から第２点へと延びる第１の軌道と、
前記第１点から前記第２点に向けて前記第１の軌道と順次交差するように設けられた複数の第２の軌道と、
前記第１、第２の軌道に沿って移動する移動部と、
時系列に行われる複数の撮影操作を前記時系列順に前記第２の軌道に設定する設定部と、
前記移動部の前記複数の第２の軌道上の位置に応じて前記撮影操作を決定する決定部とを含むことを特徴とする撮影装置。
【請求項２】
請求項１に記載された撮影装置であって、
前記撮影操作は、シャッターレリーズ操作、電源オンーオフ操作、ズームインーズームアウト操作、フォーカスロック操作および露出補正操作のうちの少なくとも１つを含むことを特徴とする撮影装置。
【請求項３】
請求項２に記載された撮影装置の設定が行われた後、前記操作部を第１の軌道上の位置に戻す復帰部を備えることを特徴とする撮影装置。
【請求項４】
請求項２又は３に記載された撮影装置であって、
前記シャッターレリーズ操作が選択される位置は、前記第１点から前記第２点に向かう方向で見て、前記電源オンーオフ操作、前記ズームインーズームアウト操作、前記フォーカスロック操作および前記露出補正操作のうちの少なくとも１つが選択される位置よりも前記第２点側であることを特徴とする撮影装置。
【請求項５】
請求項２から請求項４までの何れか１項に記載された撮影装置であって、
前記シャッターリレーズ操作の設定が行われた後、前記操作部を初期の位置に戻す復帰部を備えることを特徴とする撮影装置。
【請求項６】
請求項１から請求項５までの何れか１項に記載された撮影装置であって、
前記第１の軌道および前記第２の軌道は、前記撮影装置の表面に沿って形成されていることを特徴とする撮影装置。
【請求項７】
請求項１から請求項５までの何れか１項に記載された撮影装置であって、
前記第１の軌道は、前記撮影装置の表面に沿って形成されており、
前記第２の軌道は、前記撮影装置の表面に直交する方向に沿って形成されていることを特徴とする撮影装置。
【請求項８】
第１点から第２点へと延びる第１の軌道、及び、前記第１点から前記第２点に向けて前記第１の軌道と順次交差するように設けられた複数の第２の軌道に沿って移動部を移動させ、
前記移動部の前記複数の第２の軌道上の位置に応じて、時系列に行われる複数の撮影操作を前記時系列順に決定することを特徴とする撮影方法。
【発明の詳細な説明】
【技術分野】
【０００１】
本発明は、デジタルカメラなどの撮影装置および撮影方法に関する。
【背景技術】
【０００２】
例えばデジタルカメラにより撮影する場合は、ズーム操作、露光補正操作、レリーズスイッチのオン操作等を行うが、従来はこれらを異なる操作部材の操作により行うようにしていた。一方、カメラボディの表面にスライド溝を形成し、スライド溝に沿って操作部材を操作して、露出モードの設定やＩＳＯモードの設定等、撮影前の設定を行うカメラが知られている（例えば特許文献１参照）。
【０００３】
【特許文献１】特開２００２−１９６４０７号公報
【発明の開示】
【発明が解決しようとする課題】
【０００４】
上記特許文献１記載のカメラは、操作部材を操作して撮影前の設定を行っているに過ぎず、撮影時には上述したのと同様、異なる操作部材を操作する必要があり、撮影操作が煩雑である。
【課題を解決するための手段】
【０００５】
本発明による撮影装置は、第１点から第２点へと延びる第１の軌道と、第１点から第２点に向けて第１の軌道と順次交差するように設けられた複数の第２の軌道と、第１、第２の軌道に沿って移動する移動部と、時系列に行われる複数の撮影操作を前記時系列順に第２の軌道に設定する設定部と、移動部の複数の第２の軌道上の位置に応じて撮影操作を決定する決定部とを含むことを特徴とする。
撮影操作として、シャッターレリーズ操作、電源オンーオフ操作、ズームインーズームアウト操作、フォーカスロック操作および露出補正操作のうちの少なくとも１つを含むことが好ましい。
シャッターレリーズ操作が選択される位置を、第１点から前記第２点に向かう方向で見て、電源オンーオフ操作、ズームインーズームアウト操作、フォーカスロック操作および露出補正操作のうちの少なくとも１つが選択される位置よりも第２点側とすることが好ましい。
又、上記撮影操作が行われた後、操作部を第１の軌道上の位置に戻す復帰部を備えることができる。
シャッターリレーズ操作の設定が行われた後、操作部を初期の位置に戻す復帰部を備えることもできる。
第１の軌道および第２の軌道を、撮影装置の表面に沿って形成してもよい。
第１の軌道を、撮影装置の表面に沿って形成し、第２の軌道を、撮影装置の表面に直交する方向に沿って形成してもよい。
本発明による撮影方法は、第１点から第２点へと延びる第１の軌道、及び、第１点から第２点に向けて第１の軌道と順次交差するように設けられた複数の第２の軌道に沿って移動部を移動させ、移動部の複数の第２の軌道上の位置に応じて、時系列に行われる複数の撮影操作を時系列順に決定することを特徴とする。
【発明の効果】
【０００６】
本発明によれば、複数の撮影操作を容易に行うことができる。
【発明を実施するための最良の形態】
【０００７】
−第１の実施の形態−
図１〜図６を参照して本発明の第１の実施の形態に係る撮影装置について説明する。
図１は、第１の実施の形態に係る撮影装置を有するデジタルカメラの外観形状を示す斜視図である。カメラボディ１の正面にはレンズ鏡筒（図示せず）が備えられている。カメラボディ１の背面には、被写体画像や再生画像、各種撮影情報等を表示する表示部２が設けられている。表示部２の上方右側には、撮影操作を行う操作部１０が設けられいる。３は、ファインダである。
【０００８】
図２（ａ）は、操作部１０における撮影装置の構成を示す斜視図である。撮影装置は、カメラボディ１に形成されたガイド溝１１と、ガイド溝１１に沿って移動するキートップ２０と、キートップ２０を移動可能に支持する支持機構３０と、キートップ２０により操作されるポジションスイッチ４０と、ポジションスイッチ４０からの信号が入力される制御回路５０とを有する。
【０００９】
ガイド溝１１は、左右方向に延在する横溝１２と、横溝１２に対して上下方向に交差する一対の縦溝１３，１４とを有する。横溝がいわゆる第１の軌道、縦溝がいわゆる第２の軌道である。図２（ｂ）に示すように横溝１２は、正面から見ると左右方向水平に延在する水平部１２ａと、水平部１２ａの左端部から左斜め上方に延在する斜め部１２ｂと、斜め部１２ｂの左端部から左右方向水平に延在する水平部１２ｃとを有する。縦溝１３，１４は、それぞれ水平部１２ａ，１２ｃに対し直交して設けられている。
【００１０】
図２（ａ）に示すように、キートップ２０は、略平板状のプレート部２１の表面に突起部２２を形成してなる。突起部２２はガイド溝１１から突出し、撮影者により操作される。プレート部２１には、それぞれ上下方向および左右方向に向けてスリット２３，２４が開口されている。プレート部２１の右端部には復帰部としてのばね２５が連結され、キートップ２０には右方に常時付勢力が作用している。プレート部２１の左端部にはキートップ支持用の孔２６が穿設されている。
【００１１】
図３は、カメラボディ１の裏面の構成を示す図２の矢視III図である。縦溝１３，１４には、それぞれ横溝１２を挟むように上下一対の押さえ部材１５，１６が上下方向に移動可能に配設されている。各押さえ部材１５，１６はそれぞればね１７によって支持され、キートップ２０の突起部２２には、縦溝１３，１４に操作された突起部２２を横溝１２に戻すような付勢力が常時作用する。これら各押さえ部材１５，１６は、第２の軌道用の復帰部の一例である。
【００１２】
図２（ａ）に示すように支持機構３０は、移動部２０の移動方向を設定部４０の独立した設定方向に拘束するものである。以下はその実現例の一つである。図示の支持機構３０は、上下一対の枠体３１，３２と、枠体３１，３２の間を左右方向にスライドするスライド体３３と、スライド体３３に上下方向にスライド可能に支持される支持ピン３４とを有する。支持ピン３４の先端はキートップ２０の孔２６に固定される。これによりキートップ２０は支持ピン３４を介し、枠体３１，３２とスライド体３３の表面に沿って上下左右方向に移動し、キートップ２０を傾けずに操作できる。
【００１３】
ポジションスイッチ４０は、左右方向に移動可能に支持されたスイッチ端子４１と、上下方向に移動可能に支持されたスイッチ端子４２とを有する。各スイッチ端子４１，４２は、その移動方向に直交して設けられたキートップ２０のスリット２３，２４にそれぞれ挿入される。スイッチ端子４１，４２はキートップ２０を介して操作され、その位置に１対１に応じた信号をそれぞれ出力する。
【００１４】
図４は、キートップ２０の操作位置とスイッチ端子４１，４２の位置との対応関係を示す図である。スイッチ端子４１は、キートップ２０の操作により左右方向５段階に位置が変化し、スイッチ端子４２は、上下方向４段階に位置が変化する。図示のようにスイッチ端子４１の位置を０〜４、スイッチ端子４２の位置をａ〜ｄで示すと、キートップ２０の操作位置はスイッチ端子４１，４２の位置座標（０〜４，ａ〜ｄ）により表すことができる。例えばキートップ２０が右端Ａにあるときは（０，ｂ）で、左端Ｂにあるときは（４、ｃ）でキートップ２０の操作を表すことができる。
【００１５】
各スイッチ端子４１，４２からの信号はそれぞれ制御回路５０に入力される。制御回路５０はスイッチ端子４１，４２からの信号によりキートップ２０の操作、すなわち撮影操作を判定し、撮影操作に応じてカメラの撮影動作を制御する。
【００１６】
図５は、スイッチ端子４１，４２の位置（０〜４，ａ〜ｄ）と撮影操作との対応関係を示す一例の図である。スイッチ端子が（０，ｂ）にあるときはスタンバイ操作を、（１、ｂ）にあるときはズームスタンバイ操作を、（１、ｃ）にあるときはズームイン操作を、（１，ａ）にあるときはズームアウト操作を、位置（２，ｂ）にあるときはフォーカスロック操作を、（３，ｃ）にあるときは露出補正のスタンバイ操作を、（３、ｄ）にあるときはＡＥマイナス補正操作を、（３、ｂ）にあるときはＡＥプラス補正操作を、（４、ｃ）にあるときはレリーズ操作を、それぞれ指令する。
【００１７】
上述した各操作について詳細に説明すると、例えば、スタンバイ操作とは撮影操作に備えて待機するための操作であり、後述するＡＥスタンバイ、ズームスタンバイ操作を含まないものである。例えば、ズームイン操作、ズームアウト操作とは、撮影レンズまたは電子ズームを用いて被写体を拡大、縮小して撮影する操作である。例えば、フォーカスロック操作とはピント位置を変えない（固定する）操作であり、露出補正とは露出を補正する操作であり、ＡＥとは自動露出である。ＡＥスタンバイ、ズームスタンバイ操作とは、ＡＥ、ズーム操作に備えて待機するための操作である。
【００１８】
キートップ２０をガイド溝１１に沿って右端（０，ｂ）から左端（４，ｃ）に操作することにより、ズーム、フォーカスロック、露出補正を順次行う。すなわち、キートップをズーム位置（１，ｂ）で上下方向に操作することによりズームイン/ズームアウトを指令し、露出補正位置（ＡＥスタンバイ）（３，ｃ）で上下方向に操作することにより露出値のマイナス補正／プラス補正を指令する。なお、キートップ２０はスリット溝１１により操作が規制されており、上述した以外の箇所へは操作不能である。上述したキートップ２０の各位置とその撮影操作の組み合わせは一例であり、製品のコンセプトによって異なる。
【００１９】
第１の実施の形態に係る撮影装置による撮影操作をより具体的に説明する。
撮影時には、例えば図６に示すように撮影者はカメラを両手で保持し、表示部２の画像を見ながらキートップ２０（突起部２２）を右手親指でスライド操作する。キートップ２０には第１の軌道方向の復帰部であるばね２５の付勢力が作用しているため、操作前の初期状態ではキートップ２０は右端の初期位置（０，ｂ）にあり、この状態では撮影操作は指令されない。
【００２０】
ズーム操作を行う場合は、キートップ２０をばね２５（図２）の付勢力に抗して１段左側（１，ｂ）に操作した後、上方（１，ｃ）または下方（１，ａ）に操作し、ズームインまたはズームアウトを指令する。これにより制御回路５０はスイッチ端子４１，４２からの信号に応じてレンズ駆動用モータに制御信号を出力し、キートップ２０の操作に対応したズーミングを行う。キートップ２０を上方（１，ｃ）または下方（１，ａ）に操作した状態では、キートップ２０に第２の軌道方向の復帰部であるばね１７（図３）の付勢力が作用するため、キートップ２０の操作をやめると、キートップ２０は自動的ズームにスタンバイ位置（１，ｂ）に復帰する。
【００２１】
ズーム操作が終了すると、キートップ２０を１段左側（２，ｂ）に操作し、フォーカスロックを指令する。これにより制御回路５０はレンズ駆動用モータに制御信号を出力し、ピント位置を固定する。フォーカスロック位置（２，ｂ）では、横溝１２が屈曲しているため、キートップ２０の操作をフォーカスロック位置で一旦停止することができる。
【００２２】
フォーカスロック操作が終了すると、キートップ２０を左上方（３，ｃ）に操作し、必要に応じて露出補正を指令する。露出値をマイナス側に補正する場合には、キートップを上方（３，ｄ）に操作し、プラス側に補正する場合には下方（３，ｂ）に操作する。これにより制御回路５０はシャッタ駆動機構や絞り駆動機構に制御信号を出力し、キートップ２０の操作に応じて露出値を補正する。キートップ２０を上方（３，ｄ）または下方（３，ｂ）に操作した状態では、キートップ２０に第２の軌道方向の復帰部であるばね１７の付勢力が作用するため、キートップ２０の操作をやめると、キートップ２０は自動的にＡＥスタンバイ位置（３，ｃ）に復帰する。
【００２３】
露出補正操作が終了すると、キートップ２０を１段左側（４，ｃ）に操作し、レリーズスイッチのオンを指令する。これにより制御回路５０は本撮影を開始する。その後、キートップ２０の操作をやめると、キートップ２０は第１の軌道方向の復帰部であるばね２５の付勢力により初期位置（０，ｂ）に復帰する。キートップ２０が初期位置に復帰すると、制御回路５０はそれまでの指令値をリセットする。
【００２４】
以上の第１の実施の形態によれば以下のような作用効果を奏することができる。
（１）カメラボディ１の表面に、左右方向に延在する横溝１２と、横溝１２に対し上下方向に直交する縦溝１３，１４とからなるガイド溝１１を形成し、このガイド溝１１に沿ってキートップ２０をスライド移動させることにより、順次撮影操作を行うようにした。これによりキートップ２０の操作により複数の撮影操作を行うことができるので、操作が容易になり、例えば、全ての操作を一本の指で行うことができる。
（２）ガイド溝１１に沿ってキートップ２０を操作することにより、ズーム操作、フォーカスロック、ＡＥ補正、レリーズ操作を順番に行うので、所定の撮影手順に従って撮影操作を行うことができる。
（３）ガイド溝１１の右端の初期位置（０，ｂ）と左端のレリーズ操作位置（４，ｃ）の間に、ズーム操作位置、フォーカスロック位置、ＡＥ補正位置を順次設定したので、撮影時の各種設定後にレリーズスイッチをオンすることができる。
（４）キートップ２０の操作で複数の撮影操作を行うので、カメラボディ表面の操作部材の数を減らすことができ、部品点数の節約、表示部２の大型化、カメラの小型化が可能になる。
（５）キートップ２０をばね２５によって初期位置（０，ｂ）に自動復帰させるようにしたので、レリーズ操作の後に、素早く新たな撮影を開始することができる。又、必要に応じて途中の操作に戻り再設定し、レリーズ操作することも可能である。
（６）横溝１２に直交して縦溝１３，１４を設けたので、撮影者が意図した確実な撮影操作が可能であり、誤操作を防止できる。
【００２５】
−第２の実施の形態−
図７，８を参照して本発明による撮影装置の第２の実施の形態について説明する。
第１の実施の形態では、カメラボディ１の表面に沿って上下方向および左右方向へキートップ２０をスライド操作して撮影を行うようにしたが、第２の実施の形態では、左右方向へのスライド操作と押圧操作により撮影を行う。なお、図１〜図６と同一の箇所には同一の符号を付し、以下では第１の実施の形態との相違点を主に説明する。
【００２６】
図７は、第２の実施の形態に係る撮影装置を有するカメラの外観形状を示す斜視図である。カメラボディ１の表面には左右方向にガイド溝１８が形成され、ガイド溝１８に沿ってスライド可能にキートップ２００が配設されている。キートップ２００は２段階に押圧操作が可能なモーメンタリースイッチであり、スイッチ端子はキートップ２００のスライド位置と押圧位置に応じた信号を制御回路に出力する。キートップ２００にはボディ１の内側に第２の軌道方向の復帰部であるばね２５が連結され、キートップ２００は第１の軌道方向の復帰部であるばね２５の付勢力により右端の初期位置に復帰可能である。
【００２７】
図８は、キートップ２００の操作位置と撮影操作との対応関係を示す図である。キートップ２００の操作は、キートップ２００のスライド位置（０〜４）と高さ位置（ａ〜ｃ）により表すことができる。キートップ２００を初期位置で１段だけ押圧操作した状態（０，ｂ）では、スタンバイを指令する。その状態からキートップ２００を１段左側にスライド操作すると（１、ｂ）、撮影ズームスタンバイを指令する。その状態で、キートップ２００の押圧力を弱めると、キートップ２００は押圧位置から自動復帰し（１，ｃ）、ズームインを指令する。一方、キートップ２００を強く押圧すると、キートップ２００は２段に押圧された状態となり（１，ａ）、ズームアウトを指令する。
【００２８】
ズームスタンバイ位置からキートップ２００を１段左側に操作すると（２，ｂ）、フォーカスロックを指令する。その状態からキートップ２００を１段左側にスライド操作すると（３、ｂ）、ＡＥスタンバイを指令する。その状態で、キートップ２００の押圧力を弱めると、キートップ２００は押圧位置から復帰し（３，ｃ）、ＡＥマイナス補正を指令する。一方、キートップ２００を強く押圧すると、キートップ２００は２段押圧された状態となり（３，ａ）、ＡＥプラス補正を指令する。ＡＥスタンバイ位置からキートップ２００を１段左側に操作すると（４，ｂ）、レリーズスイッチオンを指令する。その後、キートップ２００の操作をやめると、キートップ２００はばね２５の付勢力により右端の初期位置に復帰する。又、必要に応じて途中の操作に戻り再設定し、レリーズ操作することも可能である。
【００２９】
第２の実施の形態では、キートップ２００を左右方向にスライド可能かつ押圧可能に設け、キートップ２００の操作により順次撮影操作を指令するようにしたので、第１の実施の形態と同様、撮影操作が容易になる。さらに第２の実施の形態では、ガイド溝２００を左右方向にのみ延在して設けるため、操作部の面積をより小さくすることができる。
【００３０】
なお、上記実施の形態では、キートップ２０，２００の操作によりズーム、フォーカスロック、ＡＥ補正，レリーズ操作を行うようにしたが、他の操作を行うようにしてもよい。その一例を図９に示す。図９は、図４に示したガイド溝１１をベースとし、このガイド溝１１の初期位置（０，ｂ）から右方および上方にそれぞれガイド溝を延設したものである。
【００３１】
例えば、再生（ビュー）スタンバイ操作とは撮影画像の再生に備えて待機する操作であり、フォトフォワード操作とは順方向に再生する操作、フォトバックワード操作とは逆方向に再生する操作、ビューモード変更とは再生モードを変更する操作、ホワイトバランススタンバイ操作とはホワイトバランスの調整に備えて待機する操作であり、ホワイトバランスフォワード操作とは順方向にホワイトバランス調整する操作、ホワイトバランスバックワード操作とは逆方向にホワイトバランス調整する操作、スピードライトモードチェンジ操作とはスピードライトのモードを変更する操作であり、セッティングスタンバイ操作とは各種設定に備えて待機する操作であり、カスタムモードスタンバイ操作とは特別仕様（カスタム）設定に備えて待機する操作であり、カスタムフォワード操作とは順方向にカスタム設定する操作、カスタムバックワード操作とは逆方向にカスタム設定する操作である。
【００３２】
図９において、キートップ２０を初期位置（０，ｂ）から１段右側に操作すると（−１，ｂ）、再生モードに切り換わる。その状態でキートップ２０を上方に操作すると（−１，ｃ）、再生画像を１駒戻して表示し、下方に操作すると（−１，ａ）、１駒進めて表示する。キートップ２０をさらに右側に操作すると（−２，ｂ）、再生モードを順次切り換える。
【００３３】
一方、キートップ２０を初期位置（０，ｂ）から３段上側に操作すると（０，ｅ）、設定モードのスタンバイ状態に切り換わる。その状態からキートップ２０を１段右側に操作すると（−１，ｅ）、ホワイトバランスの設定モードに切り換わる。この状態からキートップ２０を右側に操作すると（−２，ｅ）、ホワイトバランスの設定値を大きくし、上側に操作すると（ー１，ｆ）、設定値を小さくする。キートップ２０を設定モードのスタンバイ状態から上側に操作すると（０，ｆ）、スピードライトのモードが切り換わる。キートップ２０を設定モードのスタンバイ状態から左側に操作すると（１，ｅ）、カスタムモードの設定モードに切り換わる。その状態から左側に操作すると（２，ｅ）、カスタムモードを順送りで切り換え、上側に操作すると（１，ｆ）、逆送りで切り換える。
【００３４】
なお、キートップ２０の操作により電源オンオフを指令することもできる。この場合、例えば初期位置（０，ｂ）に連なって電源オフ位置を設け、キートップ２０を電源オフ位置から初期位置に操作したときに電源オンとなるようにすればよい。
【００３５】
上記実施の形態では、カメラの背面に操作部１０を設けたが、図１０（ａ）に示すように上面に設けてもよい。これにより表示部２をより大型化できる。この場合は、図１０（ｂ）に示すように、撮影時に右手の人差し指でキートップ２０を操作すればよい。
【００３６】
第１の実施の形態では、横溝１２に対して縦溝１３，１４を交差して設け、第２の実施の形態では、スライド溝１８に対して交差する方向にキートップ２００を押圧可能としたが、第１の軌道および第２の軌道の構成はこれに限らない。移動部としてのキートップ２０，２００の構成は上述したものに限らない。時系列に行われる複数の撮影操作を時系列順に設定するのであれば、ポジションスイッチ４０以外を設定部として用いてもよい。決定部としての制御回路５０の構成も上述したものに限らない。ばね２５以外を復帰部として用いてもよい。本発明は、デジタルカメラ以外の撮影装置にも適用できる。すなわち、本発明の特徴、機能を実現できる限り、本発明は実施の形態の撮影装置に限定されない。
【図面の簡単な説明】
【００３７】
【図１】第１の実施の形態に係る撮影装置を有するカメラの外観形状を示す斜視図。
【図２】第１の実施の形態に係る撮影装置の構成を示す分解斜視図。
【図３】図２の矢視III図。
【図４】第１の実施の形態に係る撮影装置を構成するキートップの操作位置とスイッチ端子の位置との対応関係を示す図。
【図５】第１の実施の形態に係る撮影装置を構成するスイッチ端子の位置と撮影操作との対応関係を示す図。
【図６】図１のカメラの撮影動作を示す図。
【図７】第２の実施の形態に係る撮影装置を有するカメラの外観形状を示す斜視図。
【図８】第２の実施の形態に係る撮影装置を構成するキートップの操作位置と撮影操作との対応関係を示す図。
【図９】図４、図５の変形例を示す図。
【図１０】図１の変形例を示す図。
【符号の説明】
【００３８】
１１，１８  ガイド溝
１２  横溝
１３，１４  縦溝
１５，１６  第２の軌道用復帰部
２０，２００  キートップ
２２  突起部
２５  第１の軌道用復帰部
４０  ポジションスイッチ（決定部）
４１，４２  スイッチ端子
５０  制御回路
【図１】
2008026449.tif 000003
【図２】
2008026449.tif 000004
【図３】
2008026449.tif 000005
【図４】
2008026449.tif 000006
【図５】
2008026449.tif 000007
【図６】
2008026449.tif 000008
【図７】
2008026449.tif 000009
【図８】
2008026449.tif 000010
【図９】
2008026449.tif 000011
【図１０】
2008026449.tif 000012